(57)【特許請求の範囲】
【請求項１】
アセトイン及び／又は黒酢を有効成分としたことを特徴とするハエ誘引剤。
【請求項２】
純米酢、穀物酢からなる群から選ばれる少なくとも１種の酢；果実及び果実加工品；及び醸造酒、蒸留酒及び酒粕；からなる群から選ばれる少なくとも１種を併用したことを特徴とする請求項１記載のハエ誘引剤。
【請求項３】
請求項１又は請求項２のハエ誘引剤を誘引剤としたハエ取り用トラップ。
【発明の詳細な説明】
【０００１】
【発明の属する技術分野】
本発明は、ハエ誘引剤及びハエ取り用トラップに関する。
【０００２】
【従来技術】
従来、ハエを誘引して捕獲、防除する方法として、ハエ取りリボン、ハエ取り紙などのハエ取りトラップを用いる方法がある。そしてこれらの方法に使用される誘引物質として、トリコセン、フチオコール、マロン酸等が知られているが、その誘引活性が満足されるものは少ない。
【０００３】
【発明が解決しようとする課題】
本発明は、従来から知られた誘引物質よりも強い誘引活性を有し、ハエの捕獲、防除に用いるものとして満足できる誘引物質、及びこれを用いたハエ取り用トラップを提供することを目的としたものである。
【０００４】
【課題を解決するための手段】
本発明者らは、上記課題を満足するため鋭意検討した結果、アセトインと黒酢がハエに対して強い誘引活性を有すること、さらに選択された特定の酢；果実及び果実加工品；及び醸造酒、蒸留酒及び酒粕；からなる群から選ばれる少なくとも１種を併用することで、誘引活性が増強されたものとなることを見い出した。
すなわち本発明は、以下の手段によって上記課題を解決することができたものである。
（１）アセトイン及び／又は黒酢を有効成分としたことを特徴とするハエ誘引剤。
（２）純米酢、穀物酢からなる群から選ばれる少なくとも１種の酢；果実及び果実加工品；及び醸造酒、蒸留酒及び酒粕；からなる群から選ばれる少なくとも１種を併用したことを特徴とする上記（１）記載のハエ誘引剤。
（３）上記（１）又は（２）記載のハエ誘引剤を誘引剤としたハエ取り用トラップ。
【０００５】
【発明の実施の形態】
本発明のハエ誘引剤において有効成分であるアセトイン及び黒酢は、芳香をもつ液体であり、少量でハエを十分に誘引することができる。
これらはそのまま用いてもよく、製剤化して用いることもできる。そしてそれぞれ単独で用いてもよいが、組合わせることで誘引活性を相乗的に強めることができる。これらを組み合わせる場合には、アセトインに対して黒酢を重量で９倍以上、好ましくは１００倍以上とするのがよい。
【０００６】
また製剤化（そのまま用いる場合も含む）する場合には、これらを０．１〜１００重量％、好ましくは０．５〜９５重量％を含有させればよく、公知の製剤、例えば、液剤、ゲル状剤、ゾル状剤、ゼリー状剤、ペースト状剤、顆粒剤、粉末剤等とすることができる。
なかでも芳香による誘引活性を有効に得るためには、液剤とするのが好ましく、担体として水、アルコール類（エタノール等）を用いることができる。
【０００７】
本発明において、好ましいものとしてさらに、純米酢、穀物酢からなる群から選ばれる少なくとも１種の酢（以下、「特定の酢」ともいう）；果実及び果実加工品；及び醸造酒、蒸留酒及び酒粕；からなる群から選ばれる少なくとも１種を併用したものがあげられる。果実としては、例えば、メロン、バナナ、パイナップル、イチゴ、ブドウ、リンゴ、スイカ、グレープフルーツ、ハイビスカス、パッション、アプリコット、キウイ、パパイヤ、ガバア、マンゴー、桃、梨などがあげられ、果実の加工品としては果実を砕いたり又は潰したりしたもの;生ジュース、濃縮ジュース等の果汁又はその乾燥品(例えば真空凍結乾燥品)、例えば粉末ジュース;果物を必要に応じ潰して砂糖の存在又は非存在下で加熱又は濃縮したもの又は部分的に発酵させたもの、例えばジャム、ペースト、ピューレ等;があげられる。醸造酒としては、清酒、にごり酒;果実あるいはそのしぼり汁を発酵させてつくった醸造酒であるワイン(赤、白、ロゼ等)、梅酒、シェリー酒等の果実酒; 味醂;紹興酒; ビール; リキュール類; 焼酎、ウィスキー、スピリッツ類等の蒸留酒;  雑酒等があげられる。これらの中でも特に紹興酒が好ましい。醸造酒粕としては例えば日本酒の酒粕があげられ、醸造酒粕は乾燥粉末化したものでもよい。
上記の酢; 果実、果実加工品；醸造酒、蒸留酒、酒粕；の少なくとも１種を併用する場合には、これらは誘引剤全体に対して各々、２〜９０重量％、好ましくは５〜８０重量％が好ましい。
上記のハエ誘引剤は前記のように製剤化したものであってもよい。
【０００８】
本発明のハエ誘引剤を使用する際には、ハエ誘引剤を収納するものとして、特に制限はないが、例えば、有効成分が放出される開口等を有する容器、毛細作用を利用して有効成分を放出できる容器、カプセル等を用いることができる。ハエを誘引して捕獲、防除するトラップとしては各種のトラップを採用することができ、例えば水没式トラップ；ハエ取りリボン、ハエ取り紙、ハエ捕獲器などの粘着式トラップ等のハエ取りトラップを用いることができる。誘引活性を有効に得るためには、液剤で用いる水没式トラップとするのがよい。
【０００９】
本発明のハエ誘引剤は、ショウジョウバエ、ノミバエ、ハヤトビバエ、イエバエ、クロバエ、キンバエ、ニクバエ等のハエを対象に用いることができ、特にショウジョウバエ等のコバエに対して高い誘引活性を有するものである。
【００１０】
また発明の効果を妨げない限り、各種の添加剤を併用してもよく、例えば、殺虫剤、殺菌剤、殺黴剤、保存剤、酸化防止剤、紫外線防止剤、展着剤、キレート剤、増粘剤、誤食防止剤、香料、色素等が挙げられる。
【００１１】
さらにハエに対して誘引活性を高めるうえで有利に作用する各種誘引剤を併用してもよく、例えば、ハチ密、砂糖、液糖、牛乳、脱脂粉乳、米糠、ふすま、トウモロコシ粉、小麦粉、家畜飼料等の食餌成分：アネトール、リナノール、カルボン等の芳香成分：性フェロモン等が挙げられる。
【００１２】
この他にもハエの誘引活性を高めるために、製剤を赤色系等に着色したりしてもよい。
そして製剤化に際して、これら各種の添加剤を均一に混合、分散、溶解させるために非イオン系、陽イオン系、陰イオン系の界面活性剤や有機溶剤を用いることができる。この場合には、毒性があったり、刺激臭が強いものは誘引活性に悪影響があるので使用しない方がよい。
【００１３】
【実施例】
以下に実施例において本発明を具体的に説明するが、本発明はこれらの実施例に限定されるものではない。
【００１４】
実施例１〜３
誘引試験
第１表記載のハエ誘引剤（実施例１又は２）とトリコセンとを各々、ペーパーディスク（直径８ｍｍ）に１００ｍｇ含浸させて、１０ｃｍの正方形の別個の粘着層の中央に各々、設置し２つの検体とした。
そしてプラスチック容器内（７０ｃｍ×７０ｃｍ×７０ｃｍ）にショウジョウバエ１００頭を放し、容器内の底面に前記２つの検体を２０ｃｍの間隔となるように配置し、密閉して３０分後に粘着層に捕獲されたショウジョウバエを数えた。
【００１５】
【表１】
第１表    ハエ誘引剤                        
成分          実施例１  実施例２  実施例３
アセトイン      ５％      −        ５％
黒酢            −      ９５％    ９５％
精製水        ９５％      ５％      −    
【００１６】
試験の結果は第２表に示した。実施例１及び２はいずれもトリコセンよりも誘引活性に優れており、実施例１はトリコセンの５．６倍、実施例２はトリコセンの１６．５倍のショウジョウバエが誘引された。
【００１７】
【表２】
0004536223.tif 000002
【００１８】
次に第１表記載の実施例１、実施例３の誘引剤及びトリコセンとを直接比較するために、これら３つを同一のプラスチック容器内に置いて、上記と同様の試験方法にて誘引活性を調べた。なおショウジョウバエは７０頭とした。
試験の結果は第３表に示した。実施例１及び３は、トリコセンよりも誘引活性に優れており、経過時間６０分で実施例１はトリコセンの３．６倍、実施例３はトリコセンの７．６倍のショウジョウバエが誘引された。
【００１９】
【表３】
第３表  ハエ誘引数                              
経過時間                誘引数                  
（分） 実施例１    実施例３    トリコセン  
３０         ７          ９           ２
６０       １１        ２３           ３      
【００２０】
実施例４〜５
さらに実施例３の黒酢を、米酢に代えた誘引剤（実施例４）、穀物酢に代えた誘引剤（実施例５）について、上記と同様の誘引試験を実施した。
その結果を第４表に示した。実施例４、５は実施例３と同様にトリコセンよりも優れた誘引活性を示した。
以上の結果から、アセトインと黒酢からなる実施例３が、ハエの誘引活性が特に顕著であり、相乗的なものであった。
【００２１】
【表４】
第４表  ハエ誘引数                              
経過時間                誘引数                  
（分） 実施例４    実施例５    トリコセン  
３０         ８          ６           ２
６０       １１          ９           ２      
【００２２】
実施例６〜１７
黒酢に対する果実加工品添加の相乗効果を確認するために以下の実験を行った。
試験室（約10m2、25°C）にショウジョウバエ約300頭を放ち、黒酢単独(黒酢30ml;参考例１)、黒酢(30ml)と下記第８表に示す各種の果実加工品の併用(実施例６〜１７)を各々、検体が等距離になるように設置して試験を行った。２時間後、各容器に捕獲されているショウジョウバエの数を観察し、捕獲数を比較した。捕獲数は２回の繰り返しの試験の合計により求めたものである。結果を第５表に示す。表５の捕獲数の数値は黒酢単独の捕獲数を１とした場合の捕獲割合を示す。
【００２３】
【表５】
0004536223.tif 000003
【００２４】
試験の結果、黒酢単独（参考例１）と比較して、いずれの果実加工品も併用の効果が認められた。
【００２５】
実施例１８〜１９
黒酢に対する醸造酒（紹興酒、ワイン）添加の相乗効果を確認するために以下の実験を行った。
試験室（約10m2、25°C）にショウジョウバエ約300頭を放ち、黒酢単独(黒酢30ml;参考例２)と、黒酢(20ml)と紹興酒(10ml)の併用(実施例18)又は黒酢(15ml)と巨峰ワイン(15ml)の併用(実施例19)を各々容器に充填し、参考例２と実施例18又は19との2つの検体を等距離になるように設置し、３０分後及び１時間後の捕獲数を比較した。捕獲数は２回の繰り返しの試験の平均により求めたものである。結果を第６表に示す。表６の捕獲数の数値は黒酢単独の捕獲数を１とした場合の捕獲割合を示す。
【００２６】
【表６】
0004536223.tif 000004
【００２７】
以下に本発明の誘引剤の組成例を示す。酢、果実又は果実加工品、醸造酒、蒸留酒および酒粕は適宜、任意の量で組み合わせることができる。
【００２８】
処方例１
アセトイン                  ０．１重量％
黒酢                      ９５．４重量％
エデト酸二ナトリウム        ０．５重量％
ソルビタン脂肪酸エステル    １．０重量％
フルーツ系香料              ３．０重量％
【００２９】
処方例２
黒酢                            ９２．２重量％
安息香酸ナトリウム                ０．２重量％
ソルビタン脂肪酸エステル          ０．１重量％
４％アセトイン配合フルーツ香料    ２．５重量％
精製水                            ５．０重量％
【００３０】
処方例３
アセトイン                ０．５重量％
黒酢                    ８０．０重量％
９９．５％エタノール    １０．０重量％
黒砂糖                    ５．０重量％
精製水                    ４．５重量％
【００３１】
処方例４
アセトイン    ０．１重量％
黒酢        ９９．７重量％
香料          ０．２重量％
【００３２】
処方例５
黒酢                    ８０．０重量％
黒砂糖                  １０．０重量％
９９．５％エタノール      ５．０重量％
精製水                    ５．０重量％
【００３３】
処方例６
米酢                    ６０．０重量％
アセトイン                ０．５重量％
糖密                      １．０重量％
９９．５％エタノール    ２０．０重量％
パイナップル香料          ０．１重量％
精製水                  １８．４重量％
【００３４】
処方例７
アセトイン                    ０．１重量％
黒酢                        ４８．７重量％
ソルビタン脂肪酸エステル      １．０重量％
安息香酸ナトリウム            １．０重量％
パイナップル果汁            ５０．０重量％
【００３５】
処方例８
アセトイン                    ０．１重量％
黒酢                        ９３．７重量％
ソルビタン脂肪酸エステル      １．０重量％
安息香酸ナトリウム            ０．２重量％
粉末メロン果汁                ２．０重量％
香料                          ３．０重量％
【００３６】
処方例９
アセトイン                    ０．１重量％
黒酢                        ３８．７重量％
ソルビタン脂肪酸エステル      １．０重量％
安息香酸ナトリウム            ０．２重量％
焼酎                        ６０．０重量％
【００３７】
処方例１０
アセトイン                    ０．１重量％
黒酢                        ８５．７重量％
ソルビタン脂肪酸エステル      １．０重量％
安息香酸ナトリウム            ０．２重量％
粉末ピーチ果汁                ２．０重量％
酒粕                          ３．０重量％
香料                          ３．０重量％
精製水                        ５．０重量％
【００３８】
【発明の効果】
本発明のハエ誘引剤は、ハエ、特にコバエに対して高い誘引活性を有するものである。特にアセトインと黒酢とを併用すると、誘引活性を相乗的に強めることができるので好ましい。アセトイン及び/又は黒酢(好ましくは黒酢)に、さらに特定の酢；果実及び果実加工品；及び醸造酒、蒸留酒及び酒粕；からなる群から選ばれる少なくとも１種を併用することで、誘引活性がさらに増強されたものとなる。上記のハエ誘引剤を誘引剤としたハエ取りトラップを用いることにより効果的にハエを駆除することができる。